(57)【要約】【課題】ソケット部に収容されるソケット端子と電線との間の電気的接続部分の防水を図りつつ、ソケット端子と電線とを接続する作業を容易にする防水カバーを提供する。【解決手段】防水カバー６０は、全体としてＸ方向に沿って延びる第１の筒状部７１と、全体としてＺ方向に沿って延びる第２の筒状部７２とを含むカバー本体部６１を備える。第１の筒状部７１の内部には、パワーソケット端子４０の一部が導入される作業空間Ｗ１，Ｗ２が形成され、第２の筒状部７２の内部には、作業空間Ｗ１，Ｗ２に連通する電線挿通空間Ｖ１，Ｖ２が形成される。第１の筒状部７１の一端はパワーソケット部２１に装着可能であり、他端には作業空間Ｗ１，Ｗ２に連通する作業用開口部Ｕが形成される。第２の筒状部７２の一端は第１の筒状部７１に接続され、他端にはパワー電線３を挿入可能な電線挿入口７９が形成される。蓋体６３は作業用開口部Ｕを閉塞するように構成される。【選択図】図１３
2019186022.tif 000002
【特許請求の範囲】
【請求項１】
少なくとも１つのソケット部に収容される導電性のソケット端子と電線との間の電気的接続部分を覆う防水カバーであって、
全体として第１の軸方向に沿って延びる第１の筒状部と、全体として前記第１の軸方向に交わる第２の軸方向に沿って延びる第２の筒状部とを含む本体部と、
前記本体部に取り付けられる蓋体と
を備え、
前記第１の筒状部の内部には、前記ソケット端子の少なくとも一部が導入される少なくとも１つの作業空間が形成され、
前記第２の筒状部の内部には、前記第１の筒状部の前記少なくとも１つの作業空間に連通する少なくとも１つの電線挿通空間が形成され、
前記第１の筒状部の一端は、前記少なくとも１つのソケット部に装着可能であり、前記第１の筒状部の他端には、前記少なくとも１つの作業空間に連通する少なくとも１つの作業用開口部が形成され、
前記第２の筒状部の一端は、前記第１の筒状部に接続され、前記第２の筒状部の他端には、少なくとも１本の電線を挿入可能な少なくとも１つの電線挿入口が形成され、
前記蓋体は、前記少なくとも１つの作業用開口部を閉塞するように前記第１の筒状部の前記他端に取付可能に構成される、
防水カバー。
【請求項２】
前記第１の筒状部は、互いに独立した２以上の作業空間を形成する第１の仕切壁を有する、請求項１に記載の防水カバー。
【請求項３】
前記第２の筒状部は、互いに独立した２以上の電線挿通空間を形成する第２の仕切壁を有する、請求項１又は２に記載の防水カバー。
【請求項４】
前記第１の筒状部と前記少なくとも１つのソケット部との間を封止する第１のシール部材をさらに備える、請求項１から３のいずれか一項に記載の防水カバー。
【請求項５】
前記第１の筒状部は、前記ソケット端子を前記第１の軸方向に位置決めする位置決め部を有する、請求項１から４のいずれか一項に記載の防水カバー。
【請求項６】
前記第１の筒状部の前記他端と前記蓋体との間を封止する第２のシール部材をさらに備える、請求項１から５のいずれか一項に記載の防水カバー。
【請求項７】
前記第２の筒状部と前記電線との間を封止する第３のシール部材をさらに備える、請求項１から６のいずれか一項に記載の防水カバー。
【請求項８】
前記第３のシール部材を前記第２の筒状部の前記少なくとも１つの挿入口から前記第２の軸方向に沿って押圧する押圧部材をさらに備える、請求項７に記載の防水カバー。
【請求項９】
前記押圧部材は、前記電線を挟んで分割可能な複数の構成部材から構成される、請求項８に記載の防水カバー。
【請求項１０】
前記第２の筒状部の前記電線挿通空間を前記第２の軸方向に垂直な面で切った断面が円形形状である、請求項７から９のいずれか一項に記載の防水カバー。
【請求項１１】
給電プラグと電線とを電気的に接続するための充電コネクタであって、
請求項１から１０のいずれか一項に記載の防水カバーと、
前記少なくとも１つのソケット部を含むハウジングと、
前記少なくとも１つのソケット部に収容される前記ソケット端子と
を備える、充電コネクタ。
【請求項１２】
前記ハウジングは、前記少なくとも１つのソケット部とは異なる少なくとも１つの追加ソケット部をさらに含み、
前記充電コネクタは、
前記少なくとも１つの追加ソケット部に収容される導電性の追加ソケット端子と、
前記追加ソケット端子と前記少なくとも１つの追加ソケット部との間を封止する第４のシール部材と
をさらに備える、請求項１１に記載の充電コネクタ。
【発明の詳細な説明】
【技術分野】
【０００１】
本発明は、防水カバー及びこれを備えた充電コネクタに係り、特に電気自動車やプラグインハイブリッドカーに設けられる充電コネクタに取り付けられる防水カバーに関するものである。
【背景技術】
【０００２】
近年、電気自動車やプラグインハイブリッドカーなど、駆動力の発生源として電気モータを用いた自動車の普及が進んでいる。これらの自動車には、電気モータに電力を供給する２次電池が搭載されており、必要に応じてこの２次電池を充電する必要がある。この２次電池の充電を行うために、車体には充電コネクタが設けられ、電源から延びる充電ケーブルの先端に設けられた給電プラグをこの充電コネクタに装着することにより、電源と２次電池とを接続して２次電池の充電がなされる。
【０００３】
このような充電コネクタは、給電プラグを充電コネクタに対して着脱する際の作業性を考慮して車体の側面に配置されることが多い。この場合、車内空間を広くするために、充電コネクタの背面の省スペース化が望まれる。このため、充電コネクタの端子金具（充電端子）の後端に対して、電線が接続された電線端子の先端を垂直に固定し、電線を充電端子に対して垂直方向に延出させるようにした充電コネクタ組立体が知られている（例えば、特許文献１参照）。
【０００４】
このように充電コネクタの端子金具に対して垂直に固定される電線端子を使用する場合には、電線と端子金具との電気的接続部分が充電コネクタの外部に露出することになるため、充電コネクタの外側に防水カバーなどを設けてこの電気的接続部分の防水を図る必要がある。しかしながら、従来の防水カバーでは、ソケット部に収容された端子金具に対する電線端子のネジ止めや溶接の作業に防水カバーが干渉してしまうため、ソケット部に収容された端子金具と電線端子とを接続する作業が非常に煩雑で難しいものとなっている。
【先行技術文献】
【特許文献】
【０００５】
【特許文献１】特開２０１５−１７０５８８号公報
【発明の概要】
【発明が解決しようとする課題】
【０００６】
本発明は、このような従来技術の問題点に鑑みてなされたもので、ソケット部に収容されるソケット端子と電線との間の電気的接続部分の防水を図りつつ、ソケット端子と電線とを接続する作業を容易にする防水カバーを提供することを第１の目的とする。
【０００７】
また、本発明は、ソケット部に収容されるソケット端子と電線との間の電気的接続部分の防水を図りつつ、ソケット端子に電線を接続する作業を容易にする充電コネクタを提供することを第２の目的とする。
【課題を解決するための手段】
【０００８】
本発明の第１の態様によれば、ソケット部に収容されるソケット端子と電線との間の電気的接続部分の防水を図りつつ、ソケット端子と電線とを接続する作業を容易にする防水カバーが提供される。この防水カバーは、少なくとも１つのソケット部に収容される導電性のソケット端子と電線との間の電気的接続部分を覆うために使用される。上記防水カバーは、全体として第１の軸方向に沿って延びる第１の筒状部と、全体として上記第１の軸方向に交わる第２の軸方向に沿って延びる第２の筒状部とを含む本体部と、上記本体部に取り付けられる蓋体とを備える。上記第１の筒状部の内部には、上記ソケット端子の少なくとも一部が導入される少なくとも１つの作業空間が形成される。上記第２の筒状部の内部には、上記第１の筒状部の上記少なくとも１つの作業空間に連通する少なくとも１つの電線挿通空間が形成される。上記第１の筒状部の一端は、上記少なくとも１つのソケット部に装着可能であり、上記第１の筒状部の他端には、上記少なくとも１つの作業空間に連通する少なくとも１つの作業用開口部が形成される。上記第２の筒状部の一端は、上記第１の筒状部に接続され、上記第２の筒状部の他端には、少なくとも１本の電線を挿入可能な少なくとも１つの電線挿入口が形成される。上記蓋体は、上記少なくとも１つの作業用開口部を閉塞するように上記第１の筒状部の上記他端に取付可能に構成される。
【０００９】
本発明によれば、電線が接続された電線端子を本体部の第２の筒状部の電線挿入口から電線挿通空間を介して作業空間に導入した状態で本体部の第１の筒状部の一端をソケット部に装着すれば、ソケット端子と電線端子とが位置する作業空間に作業用開口部を介して外部からアクセスすることができるので、ソケット端子と電線端子とを接続する作業が極めて容易になる。また、ソケット端子と電線端子との接続作業後は、蓋体を本体部の第１の筒状部の他端に取り付けることにより作業用開口部を閉塞することができるので、ソケット端子と電線との間の電気的接続部分の防水を図ることができる。
【００１０】
上記第１の筒状部は、互いに独立した２以上の作業空間を形成する第１の仕切壁を有していてもよい。このような構成により、複数の作業空間の密閉性を独立して維持することができるので、複数の作業空間における防水性を安定させることができる。
【００１１】
上記第２の筒状部は、互いに独立した２以上の電線挿通空間を形成する第２の仕切壁を有していてもよい。このような構成により、複数の電線挿通空間の密閉性を独立して維持することができるので、複数の電線挿通空間における防水性を安定させることができる。
【００１２】
上記防水カバーは、上記第１の筒状部と上記少なくとも１つのソケット部との間を封止する第１のシール部材をさらに備えることが好ましい。このような第１のシール部材により作業空間の密閉性及び防水性が高まる。
【００１３】
上記第１の筒状部は、上記ソケット端子を上記第１の軸方向に位置決めする位置決め部を有することが好ましい。このような位置決め部により、第１の筒状部の一端をソケット部に装着するだけで、ソケット端子を第１の軸方向に位置決めすることができる。
【００１４】
上記防水カバーは、上記第１の筒状部の上記他端と上記蓋体との間を封止する第２のシール部材をさらに備えることが好ましい。このような第２のシール部材により作業空間の密閉性及び防水性が高まる。
【００１５】
上記防水カバーは、上記第２の筒状部と上記電線との間を封止する第３のシール部材をさらに備えることが好ましい。このような第３のシール部材により電線挿通空間の密閉性及び防水性が高まる。
【００１６】
上記防水カバーは、上記第３のシール部材を上記第２の筒状部の上記少なくとも１つの挿入口から上記第２の軸方向に沿って押圧する押圧部材をさらに備えることが好ましい。第３のシール部材が所望の位置にない場合であっても、このような押圧部材によって第３のシール部材を第２の軸方向に押し込むことができるので、第３のシール部材を所望の位置に配置することができ、電線挿通空間の密閉性及び防水性を高めることができる。
【００１７】
上記押圧部材は、上記電線を挟んで分割可能な複数の構成部材から構成されることが好ましい。押圧部材をこのような複数の構成部材から構成することで、押圧部材を電線の他端から挿通させる必要がなくなるため、押圧部材の装着作業が容易になる。
【００１８】
上記第２の筒状部の上記電線挿通空間を上記第２の軸方向に垂直な面で切った断面は円形形状であることが好ましい。この場合には、第３のシール部材が電線挿通空間を規定する面に均等に密着することとなるため、電線挿通空間の密閉性及び防水性が高まる。
【００１９】
本発明の第２の態様によれば、ソケット部に収容されるソケット端子と電線との間の電気的接続部分の防水を図りつつ、ソケット端子に電線を接続する作業を容易にする充電コネクタが提供される。この充電コネクタは、上述した防水カバーと、上記少なくとも１つのソケット部を含むハウジングと、上記少なくとも１つのソケット部に収容される上記ソケット端子とを備える。
【００２０】
上記ハウジングは、上記少なくとも１つのソケット部とは異なる少なくとも１つの追加ソケット部をさらに含んでいてもよい。この場合において、上記充電コネクタは、上記少なくとも１つの追加ソケット部に収容される導電性の追加ソケット端子と、上記追加ソケット端子と上記少なくとも１つの追加ソケット部との間を封止する第４のシール部材とをさらに備えていてもよい。
【発明の効果】
【００２１】
本発明によれば、電線が接続された電線端子を本体部の第２の筒状部の電線挿入口から電線挿通空間を介して作業空間に導入した状態で本体部の第１の筒状部の一端をソケット部に装着すれば、ソケット端子と電線端子とが位置する作業空間に作業用開口部を介して外部からアクセスすることができるので、ソケット端子と電線端子とを接続する作業が極めて容易になる。また、ソケット端子と電線端子との接続作業後は、蓋体を本体部の第１の筒状部の他端に取り付けることにより作業用開口部を閉塞することができるので、ソケット端子と電線との間の電気的接続部分の防水を図ることができる。
【図面の簡単な説明】
【００２２】
【図１】図１は、本発明の一実施形態における充電コネクタ組立体を示す前方斜視図である。
【図２】図２は、図１に示す充電コネクタ組立体の後方斜視図である。
【図３】図３は、図１に示す充電コネクタ組立体の平面図である。
【図４】図４は、図１に示す充電コネクタ組立体の右側面図である。
【図５】図５は、図３のＡ−Ａ線断面図である。
【図６】図６は、図４のＢ−Ｂ線断面図である。
【図７】図７は、図１に示す充電コネクタ組立体のハウジングを図４のＢ−Ｂ線で切断したときの部分破断斜視図である。
【図８Ａ】図８Ａは、図１に示す充電コネクタ組立体におけるパワーソケット端子を示す斜視図である。
【図８Ｂ】図８Ｂは、図８Ａに示すパワーソケット端子の右側面図である。
【図８Ｃ】図８Ｃは、図８Ａに示すパワーソケット端子の背面図である。
【図９】図９は、図１に示す充電コネクタ組立体においてパワーソケット端子に取り付けられるパワー電線を説明するための部分分解斜視図である。
【図１０】図１０は、図１に示す充電コネクタ組立体における防水カバーを示す斜視図である。
【図１１】図１１は、図１０に示す防水カバーの右側面分解斜視図である。
【図１２】図１２は、図１１のＣ−Ｃ線断面図である。
【図１３】図１３は、図１０に示す防水カバーの分解斜視図である。
【図１４】図１４は、図１０に示す防水カバーの部分破断斜視図である。
【図１５】図１５は、図１に示す充電コネクタ組立体において信号ソケット部に取り付けられる信号電線を説明するための部分分解斜視図である。
【図１６Ａ】図１６Ａは、図１に示す充電コネクタ組立体の組立工程を説明するための斜視図である。
【図１６Ｂ】図１６Ｂは、図１に示す充電コネクタ組立体の組立工程を説明するための斜視図である。
【図１６Ｃ】図１６Ｃは、図１に示す充電コネクタ組立体の組立工程を説明するための斜視図である。
【図１６Ｄ】図１６Ｄは、図１に示す充電コネクタ組立体の組立工程を説明するための斜視図である。
【図１６Ｅ】図１６Ｅは、図１に示す充電コネクタ組立体の組立工程を説明するための斜視図である。
【図１６Ｆ】図１６Ｆは、図１に示す充電コネクタ組立体の組立工程を説明するための斜視図である。
【図１６Ｇ】図１６Ｇは、図１に示す充電コネクタ組立体の組立工程を説明するための斜視図である。
【図１６Ｈ】図１６Ｈは、図１に示す充電コネクタ組立体の組立工程を説明するための斜視図である。
【図１６Ｉ】図１６Ｉは、図１に示す充電コネクタ組立体の組立工程を説明するための斜視図である。
【図１６Ｊ】図１６Ｊは、図１に示す充電コネクタ組立体の組立工程を説明するための斜視図である。
【発明を実施するための形態】
【００２３】
以下、本発明に係る防水カバー及びこれを備えた充電コネクタの実施形態について図１から図１６Ｊを参照して詳細に説明する。なお、図１から図１６Ｊにおいて、同一又は相当する構成要素には、同一の符号を付して重複した説明を省略する。また、図１から図１６Ｊにおいては、各構成要素の縮尺や寸法が誇張されて示されている場合や一部の構成要素が省略されている場合がある。
【００２４】
図１は本実施形態における充電コネクタ組立体１を示す前方斜視図、図２は後方斜視図、図３は平面図、図４は右側面図、図５は図３のＡ−Ａ線断面図、図６は図４のＢ−Ｂ線断面図である。本実施形態における充電コネクタ組立体１は、電気自動車やプラグインハイブリッドカー等の自動車の車体に取り付けられる充電コネクタ２と、充電コネクタ２に接続されるパワー電線３と、充電コネクタ２に接続される信号電線４を含んでいる。パワー電線３は、電気モータに電力を供給する２次電池（図示せず）まで延びている。なお、充電コネクタ２に接続されるパワー電線３及び信号電線４の数は図示のものに限られるものではない。
【００２５】
充電コネクタ２には、電源から延びる充電ケーブルの先端に設けられた給電プラグ（図示せず）が装着できるようになっており、給電プラグを充電コネクタ２に装着することにより、パワー電線３を介して電源と２次電池とが接続されて２次電池の充電が行われる。また、信号電線４は、車両内の各種制御装置まで延びており、給電プラグに設けられた信号用端子と制御装置との間で信号を伝達するために用いられる。なお、本明細書では、便宜的に、図１における＋Ｘ方向を「前」といい、−Ｘ方向を「後」ということとする。
【００２６】
図１から図６に示すように、本実施形態における充電コネクタ２は、Ｘ方向に延びる円筒部１１と、円筒部１１の外周部から外側に延びるフランジ部１２とを含むハウジング１０を備えている。また、充電コネクタ２は、円筒部１１の内側に収容される２つのパワーソケット部２１（ソケット部）と、円筒部１１の内側に収容される２つの信号ソケット部２３（追加ソケット部）とを含んでいる。図５及び図６に示すように、パワーソケット部２１及び信号ソケット部２３は、それぞれ円筒部１１の底部１１Ａを貫通してＸ方向に延びている。フランジ部１２の四隅には、充電コネクタ２を車体に取り付ける際にネジなどを挿通させる固定孔１４が形成されている。
【００２７】
円筒部１１の一端は、内部のパワーソケット部２１及び信号ソケット部２３の端部を露出するように開口しており、この円筒部１１の開口端にはゴム製のキャップ（図示せず）が装着可能となっている。また、この円筒部１１の開口端には図示しない給電プラグを挿入できるようになっており、給電プラグを円筒部１１の開口端に挿入した際に、パワーソケット部２１は給電プラグのパワー端子（図示せず）に嵌合し、信号ソケット部２３は信号ソケット端子（図示せず）に嵌合するようになっている。図１に示すように、ハウジング１０の円筒部１１の下部には排水口１６が形成されており、この排水口１６にはドレインチューブ５が接続されている。充電コネクタ２に給電プラグを装着する際などに円筒部１１内に浸入した雨水などは、排水口１６からドレインチューブ５を介して排出される。
【００２８】
図５及び図６に示すように、それぞれのパワーソケット部２１は、ハウジング１０と一体的に形成された円筒状の基部３１と、基部３１の前面の開口を覆うように基部３１の先端に固定されるキャップ部材３２とを含んでいる。キャップ部材３２は、樹脂などから形成されており、爪３２Ａが基部３１に係合することによって基部３１に固定される。キャップ部材３２の前面の中央部には、給電プラグのパワー端子を挿通させるための挿通孔３２Ｂが形成されている。パワーソケット部２１の基部３１にはシール部材３３が装着されており、２つのパワーソケット部２１の基部３１の周囲にシール部材３３が位置するようになっている。このシール部材３３は、給電プラグのパワー端子がパワーソケット部２１に嵌合する際に防水性を確保するものであり、例えばシリコーンゴムなどの弾性材料から形成される。
【００２９】
図５に示すように、それぞれの信号ソケット部２３は、ハウジング１０と一体的に形成された円筒状の基部３４を含んでいる。それぞれの信号ソケット部２３の基部３４には、給電プラグの信号端子を挿通させるための挿通孔３４Ａ（図１参照）が形成されている。信号ソケット部２３の基部３４にはシール部材３５が装着されており、２つの信号ソケット部２３の基部３４の周囲にシール部材３５が位置するようになっている。このシール部材３５は、給電プラグの信号端子が信号ソケット部２３に嵌合する際に防水性を確保するものであり、例えばシリコーンゴムなどの弾性材料から形成される。
【００３０】
図７は、ハウジング１０を図４のＢ−Ｂ線で切断したときの部分破断斜視図である。図７に示すように、それぞれのパワーソケット部２１の基部３１の径方向内側には、給電プラグのパワー端子（図示せず）と電気的に接続可能なパワーソケット端子４０（図５及び図６参照）を収容する端子収容部３６が形成されている。パワーソケット部２１のパワー電線３が接続される側（後方）には、端子収容部３６に連通する電線側開口２１Ａが形成され、パワーソケット部２１の給電プラグが接続される側（前方）には、端子収容部３６に連通する給電プラグ側開口２１Ｂが形成されている。給電プラグ側開口２１Ｂの径は電線側開口２１Ａの径よりも小さくなっており、端子収容部３６の径が変化する部分に段差部３７が形成されている。
【００３１】
また、段差部３７の−Ｘ方向側には、パワーソケット部２１の軸を挟んでＹ方向に対向する位置に当接部３８が設けられている。この当接部３８は、パワーソケット部２１の基部３１の円周内面からＹ方向に張り出しており、ＸＺ平面に平行な当接面３８Ａを有している。なお、当接部３８の個数は図示のものに限られるものではなく、それぞれの端子収容部３６に対して１つの当接部３８を形成してもよく、あるいは３つ以上の当接部３８を形成してもよい。
【００３２】
次に、パワーソケット端子４０について図８Ａから図８Ｃを参照して説明する。図８Ａはパワーソケット端子４０の斜視図、図８Ｂは右側面図、図８Ｃは背面図である。パワーソケット端子４０は、給電プラグの棒状のパワー端子（図示せず）と電気的に接続可能なプラグ接続部４１と、軸方向においてプラグ接続部４１とは反対側に位置する略円筒状の端子連結部４２とを備えている。
【００３３】
パワーソケット端子４０のプラグ接続部４１は、軸方向に沿って延びる長尺板状の複数の接触片４３を有している。各接触片４３の先端は自由端とされており、各接触片４３は一定の力を受けると撓むように構成されている。これら複数の接触片４３は円周方向に沿って所定の間隔で配置されており、これら接触片４３に囲まれた空間に給電プラグのパワー端子が挿入されるようになっている。
【００３４】
また、パワーソケット端子４０は、プラグ接続部４１の接触片４３の基部を保持する円筒状の保持部４４と、端子連結部４２と保持部４４との間で径方向外側に突出するフランジ部４５とを有している。パワーソケット端子４０の端子連結部４２、接触片４３、保持部４４、及びフランジ部４５は導電性の材料から形成されている。
【００３５】
図８Ｃに示すように、パワーソケット端子４０の端子連結部４２の後端面４２Ａには、パワー電線３に取り付けられた電線端子５０を固定するためのボルト９０（図５及び図６参照）を螺合するボルト孔４６が形成されている。このボルト孔４６の内周面には雌ネジが形成されている。この端子連結部４２の後端面４２Ａは、パワーソケット端子４０の軸方向に対して垂直になっており、電線端子５０をパワーソケット端子４０に固定したときに電線端子５０が端子連結部４２の後端面４２Ａに接するようになっている。
【００３６】
このような構成により、給電プラグを充電コネクタ２に接続したときに、パワー端子の外周面にプラグ接続部４１の接触片４３が弾性接触し、給電プラグのパワー端子とパワーソケット端子４０とが電気的に接続され、パワーソケット端子４０の端子連結部４２に接続される電線端子５０（図５及び図６参照）を介して給電プラグのパワー端子とパワー電線３とが電気的に接続される。これによって２次電池が充電されるようになっている。
【００３７】
パワーソケット端子４０をパワーソケット部２１の端子収容部３６に収容する際には、パワーソケット部２１の電線側開口２１Ａからパワーソケット端子４０を挿入していくが、このときにフランジ部４５の前端面４５Ａ（図８Ａ参照）が、端子収容部３６に形成された段差部３７（図７参照）に当接することで、端子収容部３６内でのパワーソケット端子４０の軸方向の位置決めがなされる。
【００３８】
また、図８Ａから図８Ｃに示すように、パワーソケット端子４０のフランジ部４５は、軸を挟んで両側に互いに平行な平坦面４５Ｂを有している。これらの平坦面４５Ｂは、パワーソケット部２１に形成された当接部３８の当接面３８Ａ（図７参照）に対応するものである。パワーソケット端子４０をパワーソケット部２１の端子収容部３６に挿入する際には、パワーソケット端子４０のフランジ部４５の平坦面４５Ｂの方向が、パワーソケット部２１の当接部３８の当接面３８Ａの方向と揃っていないと、フランジ部４５の平坦面４５Ｂと当接部３８の当接面３８Ａとが互いに干渉してパワーソケット端子４０をパワーソケット部２１の端子収容部３６に正しく挿入できない。このように、パワーソケット端子４０のフランジ部４５の平坦面４５Ｂとパワーソケット部２１の当接部３８の当接面３８Ａとによって、パワーソケット端子４０の端子収容部３６内での周方向の位置決めを行うことができる。
【００３９】
ここで、図２に示すように、充電コネクタ２のパワーソケット部２１の後端には、パワーソケット端子４０とパワー電線３との電気的接続部分を覆う防水カバー６０が取り付けられている。この防水カバー６０の内部でパワー電線３がパワーソケット端子４０に接続されており、この防水カバー６０によってパワーソケット端子４０とパワー電線３との電気的接続部分の防水が図られている。この防水カバー６０の詳細については後述する。
【００４０】
図９は、パワーソケット端子４０に取り付けられるパワー電線３を説明するための部分分解斜視図である。図９では、理解を容易にするため、２本のパワー電線３のうち一方のパワー電線のみを示しており、防水カバー６０の図示も省略している。
【００４１】
図９に示すように、パワー電線３の先端には電線端子５０が取り付けられており、この電線端子５０を介してパワー電線３がパワーソケット端子４０に取り付けられる。電線端子５０は、パワー電線３の被覆を剥がして露出させた芯線３Ａを加締めて固定する電線固定部５１と、ボルト挿通孔５２が形成された平板部５３とを有している。この電線端子５０は、導電性の材料から形成されており、加締められた電線固定部５１においてパワー電線３の芯線３Ａと電気的に接続される。
【００４２】
このような構成において、パワー電線３を固定するための締結具としてのボルト９０を電線端子５０の平板部５３のボルト挿通孔５２に挿通させ、ボルト９０の雄ネジをパワーソケット端子４０のボルト孔４６の雌ネジに螺合させることによって電線端子５０をパワーソケット端子４０に固定することができる。このように電線端子５０をパワーソケット端子４０に固定することにより、パワー電線３の芯線３Ａとパワーソケット端子４０とを電気的に接続することができる。
【００４３】
次に、防水カバー６０について図１０から図１４を参照して説明する。図１０は防水カバー６０を示す斜視図、図１１は右側面図、図１２は図１１のＣ−Ｃ線断面図、図１３は分解斜視図である。
【００４４】
図１０から図１３に示すように、防水カバー６０は、内部に空間が形成されたカバー本体部６１と、カバー本体部６１と上述したパワーソケット部２１との間を封止するシール部材６２（第１のシール部材）と、カバー本体部６１に取り付けられる蓋体６３と、２つの構成部材６４Ａ，６４Ｂを連結することで構成される押圧部材６４とを含んでいる。
【００４５】
カバー本体部６１は、全体としてＸ方向（第１の軸方向）に沿って延びる第１の筒状部７１と、全体としてＺ方向（第２の軸方向）に沿って延びる第２の筒状部７２とを含んでいる。第１の筒状部７１は、長円筒状の形態をしており、図１２に示すように、仕切壁７１Ａ（第１の仕切壁）によって互いに独立した２つの作業空間Ｗ１，Ｗ２が内部に形成されている。第２の筒状部７２は、２つの円筒部７２Ａ，７２ＢがＹ方向に並んだ形態をしており、図１２に示すように、円筒部７２Ａ，７２Ｂを仕切る仕切壁７２Ｃ（第２の仕切壁）によって互いに独立した２つの電線挿通空間Ｖ１，Ｖ２が内部に形成されている。図１２に示すように、作業空間Ｗ１と電線挿通空間Ｖ１とは互いに連通しており、作業空間Ｗ２と電線挿通空間Ｖ２とは互いに連通している。
【００４６】
図１０に示すように、第１の筒状部７１の一端（＋Ｘ方向側の端部）には、上述したパワーソケット部２１の電線側開口２１Ａ（図７参照）の径方向内側にそれぞれ挿入可能な２つのソケット挿入部７３と、パワーソケット部２１の基部３１の径方向外側に装着可能なソケット装着部７４とが形成されている。ソケット挿入部７３の外径はパワーソケット部２１の電線側開口２１Ａの内径よりも小さく、ソケット挿入部７３の内径はパワーソケット端子４０の端子連結部４２の外径よりも大きい。図１３に示すように、第１の筒状部７１の他端（−Ｘ方向側の端部）には、作業空間Ｗ１，Ｗ２に連通する作業用開口部Ｕが形成されている。
【００４７】
シール部材６２は、カバー本体部６１をパワーソケット部２１に装着した際に防水性を確保するものであり、例えばシリコーンゴムなどの弾性材料から形成される。シール部材６２は、眼鏡形状の基部８１と、基部８１から＋Ｙ方向に延びる２つの円筒部８２とを含んでいる。円筒部８２の外周には、ソケット挿入部７３とパワーソケット部２１の基部３１との間のシール性を高めるために突起８２Ａが形成されている。このシール部材６２の突起８２Ａの外径はパワーソケット部２１の電線側開口２１Ａの内径よりも大きい。
【００４８】
シール部材６２の基部８１及び円筒部８２には、カバー本体部６１のソケット挿入部７３を挿通できる挿通孔８３が形成されている。基部８１は、Ｙ方向に突出する突起８４を有しており、この突起８４がソケット装着部７４の取付孔７６（図１３参照）に係合することにより、シール部材６２がカバー本体部６１に固定される。
【００４９】
図１３に示すように、ソケット装着部７４には、パワーソケット部２１から径方向外側に突出する係合爪２４（図５及び図９参照）が係合する係合孔７５が形成されている。したがって、パワーソケット部２１の係合爪２４をソケット装着部７４の係合孔７５に係合させることで、カバー本体部６１をパワーソケット部２１に装着することができる。このとき、図５に示すように、カバー本体部６１のソケット挿入部７３とパワーソケット部２１の基部３１との間にシール部材６２が位置し、シール部材６２がパワーソケット部２１の基部３１の内周面に密着することで、カバー本体部６１のソケット挿入部７３とパワーソケット部２１の基部３１との間が封止される。
【００５０】
上述したように、カバー本体部６１のソケット挿入部７３の内径はパワーソケット端子４０の端子連結部４２の外径よりも大きいため、カバー本体部６１のソケット挿入部７３をパワーソケット部２１の基部３１の径方向内側に挿入すると、パワーソケット端子４０の端子連結部４２がソケット挿入部７３の内側を通過して、端子連結部４２の後端面４２Ａがカバー本体部６１の第１の筒状部７１の作業空間Ｗ１，Ｗ２内に位置する。
【００５１】
このとき、図５に示すように、カバー本体部６１のソケット挿入部７３の先端がパワーソケット端子４０のフランジ部４５の後端面に当接するようになっており、第１の筒状部７１のソケット挿入部７３をパワーソケット部２１の基部３１に挿入するだけで、カバー本体部６１のソケット挿入部７３によりパワーソケット端子４０の軸方向（Ｘ方向）の位置決めを行うことができる。このように、本実施形態におけるカバー本体部６１のソケット挿入部７３は、パワーソケット端子４０をその軸方向（Ｘ方向）に位置決めする位置決め部として機能する。
【００５２】
図１３に示すように、蓋体６３の外周面には外側に突出する係合爪６５が形成されており、これに対応してカバー本体部６１の第１の筒状部７１には係合孔７７が形成されている。したがって、蓋体６３の係合爪６５をカバー本体部６１の第１の筒状部７１の係合孔７７に係合させることで、蓋体６３をカバー本体部６１の第１の筒状部７１に取り付けることができる。
【００５３】
また、蓋体６３の外周面に形成された凹部には、例えばシリコーンゴムなどの弾性材料から形成されるシール部材６６（第２のシール部材）が装着されている。このシール部材６６の外形は、カバー本体部６１の第１の筒状部７１の作業用開口部Ｕの内周面よりも大きくなっている。したがって、上述のように蓋体６３をカバー本体部６１の第１の筒状部７１に取り付けた際に、シール部材６６が第１の筒状部７１の内周面に密着することで、蓋体６３とカバー本体部６１の第１の筒状部７１との間が封止される。
【００５４】
図１４は、防水カバー６０の部分破断斜視図である。図１４に示すように、第２の筒状部７２の円筒部７２Ａ，７２Ｂのそれぞれの一端（＋Ｚ方向側の端部）は第１の筒状部７１に接続されており、他端（−Ｚ方向側の端部）には電線挿入口７９が形成されている。この電線挿入口７９から第２の筒状部７２の円筒部７２Ａ，７２Ｂの電線挿通空間Ｖ１，Ｖ２にパワー電線３を挿入できるようになっている。
【００５５】
図５を参照すると、本実施形態では、カバー本体部６１の第２の筒状部７２の円筒部７２Ａ，７２Ｂに挿入されるパワー電線３の外周に例えばシリコーンゴムなどの弾性材料から形成されるシール部材９３（第３のシール部材）が装着されている。このシール部材９３の外径は第２の筒状部７２の円筒部７２Ａ，７２Ｂの内径よりも大きくなっている。したがって、パワー電線３を第２の筒状部７２の円筒部７２Ａ，７２Ｂに挿入した際に、パワー電線３に装着されたシール部材９３が第２の筒状部７２の円筒部７２Ａ，７２Ｂの内周面に密着することで、パワー電線３とカバー本体部６１の第２の筒状部７２との間が封止される。
【００５６】
ここで、図５及び図１４に示すように、第２の筒状部７２の電線挿入口７９には押圧部材６４が装着される。この押圧部材６４は、図１３に示すように、２本のパワー電線３を前後から挟む２つの構成部材６４Ａ，６４Ｂから構成されている。それぞれの構成部材６４Ａ，６４Ｂは、第２の筒状部７２の円筒部７２Ａ，７２Ｂの下端を受け入れる下端レシーバ９４と、下端レシーバ９４から＋Ｚ方向に延びる押圧片９５と、第２の筒状部７２の円筒部７２Ａ，７２Ｂに形成された係合孔７８に係合する係合爪９６とを含んでいる。下端レシーバ９４には、相手方の構成部材６４Ａ，６４Ｂに形成された連結孔９７に挿入可能な突起９８が形成されている。
【００５７】
一方の構成部材６４Ａ，６４Ｂの下端レシーバ９４の突起９８を他方の構成部材６４Ｂ，６４Ａの連結孔９７に挿入することにより、２つの構成部材６４Ａ，６４Ｂが一体となって押圧部材６４が構成される。そして、この押圧部材６４の係合爪９６を第２の筒状部７２の円筒部７２Ａ，７２Ｂの係合孔７８に係合させることで、押圧部材６４を第２の筒状部７２の円筒部７２Ａ，７２Ｂに装着することができる。この押圧部材６４の装着により、後述するように、シール部材９３（図５参照）が押圧部材６４の押圧片９５により上方に押し込まれ、シール部材９３と第２の筒状部７２の円筒部７２Ａ，７２Ｂの内周面との密着性が高まる。
【００５８】
図１５は、信号ソケット部２３に取り付けられる信号電線４を説明するための部分分解斜視図である。図１５では、理解を容易にするため、２つの信号ソケット部２３のうち一方の信号ソケット部に取り付けられる信号電線４に関連する部材のみを示しており、その他の部材の図示を省略している。
【００５９】
図１５に示すように、それぞれの信号電線４の端部には、Ｘ方向に延びる棒状の信号ソケット端子１０１（追加ソケット端子）が取り付けられている。信号ソケット部２３には、信号電線４に対応して４つの端子収容孔１０３が形成されており、それぞれの端子収容孔１０３に信号ソケット端子１０１が挿入されその内部に信号ソケット端子１０１が収容される。信号ソケット端子１０１には、端子収容孔１０３の内径よりも大きな外径を有するシール部材１０２（第４のシール部材）が装着されている。したがって、信号ソケット端子１０１を信号ソケット部２３の端子収容孔１０３に挿入した際に、信号ソケット端子１０１に装着されたシール部材１０２が信号ソケット部２３の端子収容孔１０３の内周面に密着することで、信号電線４と信号ソケット部２３との間が封止される。
【００６０】
信号ソケット部２３の後端には、信号ソケット端子１０１を信号ソケット部２３に固定するための端部カバー１１０が取り付けられている。この端部カバー１１０は、それぞれの信号ソケット端子１０１を保持する保持部１１２を有しており、この保持部１１２の後端面には信号ソケット端子１０１から延びる信号電線４を挿通させるスリット１１４が形成されている。
【００６１】
また、端部カバー１１０には、信号ソケット部２３から径方向外側に突出する係合爪１０４が係合する係合孔１１６が形成されている。したがって、信号ソケット部２３の係合爪１０４を端部カバー１１０の係合孔１１６に係合させることで、端部カバー１１０を信号ソケット部２３に固定することができる。
【００６２】
次に、このような構成の充電コネクタ組立体１を組み立てる方法について図１６Ａから図１６Ｊを参照して説明する。まず、信号ソケット端子１０１にシール部材１０２を装着した後、図１６Ａに示すように、信号電線４の一方の端部に信号ソケット端子１０１の基部１０１Ａを圧着して取り付ける。
【００６３】
そして、図１６Ｂに示すように、信号電線４の他方の端部から熱収縮チューブ１２０を挿通させて、この熱収縮チューブ１２０を信号ソケット端子１０１の基部１０１Ａに被せる。この熱収縮チューブ１２０に熱を加えることで収縮させて信号ソケット端子１０１と信号電線４との接続部分を密封する。なお、信号ソケット端子１０１の基部１０１Ａを信号電線４の端部に圧着する前に熱収縮チューブ１２０に信号電線４を通しておいてもよい。
【００６４】
この信号ソケット端子１０１の取付工程を使用する信号電線４のそれぞれに対して行い、それぞれの信号電線４の他方の端部にコネクタ（図示せず）を取り付ける。そして、図１６Ｃに示すように、信号ソケット端子１０１を端部カバー１１０の保持部１１２に挿入するとともに、信号ソケット端子１０１から延びる信号電線４を端部カバー１１０のスリット１１４に挿通させて、信号ソケット端子１０１に端部カバー１１０を取り付ける。なお、端部カバー１１０の保持部１１２のうち使用しないものがある場合には、その保持部１１２にダミー栓を取り付けて閉塞してもよい。
【００６５】
上述したハウジング１０を用意し、このハウジング１０を車体の側部など充電コネクタ２を配置すべき箇所に取り付ける。信号ソケット端子１０１に端部カバー１１０を取り付けた状態のまま、図１６Ｄに示すように、端部カバー１１０をハウジング１０の信号ソケット部２３に取り付ける。このとき、信号ソケット部２３の係合爪１０４を端部カバー１１０の係合孔１１６に係合させることで、端部カバー１１０を信号ソケット部２３に装着することができる。このとき、信号ソケット端子１０１に装着されたシール部材１０２が信号ソケット部２３の端子収容孔１０３の内周面に密着することで、信号電線４と信号ソケット部２３との間が封止される。
【００６６】
図１６Ｄに示す例では、先に上側の信号ソケット部２３Ａに端部カバー１１０が取り付けられるように示されているが、下側の信号ソケット部２３Ｂに端部カバー１１０を取り付けた後に上側の信号ソケット部２３Ａに端部カバー１１０を取り付けてもよい。なお、上側の信号ソケット部２３Ａから延びる信号電線４は、この後の作業のために、２つのパワーソケット部２１，２１の間に通しておく。
【００６７】
このようにして、それぞれの信号ソケット部２３に信号ソケット端子１０１を収容し、端部カバー１１０を取り付けた後、上述したパワーソケット端子４０をパワーソケット部２１，２１に挿入する。より具体的には、パワーソケット端子４０のプラグ接続部４１をパワーソケット部２１，２１に向け、パワーソケット端子４０を電線側開口２１Ａからパワーソケット部２１，２１の端子収容部３６へ挿入していく。パワーソケット端子４０の端子連結部４２のフランジ部４５が端子収容部３６の段差部３７に当接するまでパワーソケット端子４０を端子収容部３６に挿入する。このとき、パワーソケット端子４０のフランジ部４５の平坦面４５Ｂの方向がパワーソケット部２１の当接部３８の当接面３８Ａの方向に一致するように、パワーソケット端子４０を軸周りに回転させる。このようにして、図１６Ｅに示すように、パワーソケット端子４０がパワーソケット部２１の端子収容部３６（図７参照）に収容される。
【００６８】
次に、図１６Ｆに示すように、電線端子５０が取り付けられたパワー電線３を用意する。より具体的には、パワー電線３の端部の被覆を剥がし、芯線３Ａを外部に露出させ、この露出させた芯線３Ａを電線端子５０の電線固定部５１により加締めることにより、パワー電線３に電線端子５０を取り付ける。また、パワー電線３の他方の端部からシール部材９３を挿通させて、このシール部材９３を電線端子５０の近傍まで移動させる。そして、パワー電線３の他方の端部にコネクタ（図示せず）を取り付ける。なお、電線端子５０をパワー電線３に取り付ける前にシール部材９３をパワー電線３の端部付近に移動しておいてもよい。
【００６９】
そして、上述した防水カバー６０のカバー本体部６１のソケット挿入部７３をシール部材６２の挿通孔８３に挿通させ、シール部材６２の突起８４をカバー本体部６１のソケット装着部７４の取付孔７６に係合することにより、シール部材６２をカバー本体部６１に取り付ける。
【００７０】
図１６Ｆに示すように、このカバー本体部６１の第２の筒状部７２の電線挿入口７９に、上述のように電線端子５０とシール部材９３とが取り付けられたパワー電線３を挿入する。このとき、図１６Ｇに示すように、電線端子５０の平板部５３がカバー本体部６１の第１の筒状部７１内の作業空間Ｗ１，Ｗ２内にそれぞれ位置するまでパワー電線３をカバー本体部６１に挿入する。このとき、パワー電線３に装着されたシール部材９３（図１６Ｆ参照）は、カバー本体部６１の第２の筒状部７２の電線挿通空間Ｖ１，Ｖ２内に位置している。
【００７１】
次に、図１６Ｈに示すように、カバー本体部６１をハウジング１０のパワーソケット部２１に取り付ける。すなわち、カバー本体部６１のソケット挿入部７３をパワーソケット部２１の電線側開口２１Ａから端子収容部３６に挿入し、パワーソケット部２１の係合爪２４をカバー本体部６１のソケット装着部７４の係合孔７５に係合させることで、カバー本体部６１をパワーソケット部２１に装着する。このとき、パワーソケット端子４０の端子連結部４２がカバー本体部６１のソケット挿入部７３の径方向内側を通過して、端子連結部４２の後端面４２Ａ（図８Ｂ参照）がカバー本体部６１の第１の筒状部７１の作業空間Ｗ１，Ｗ２内に位置する。したがって、カバー本体部６１の作業空間Ｗ１，Ｗ２内に位置する電線端子５０の平板部５３のボルト挿通孔５２とパワーソケット部２１の端子収容部３６に収容されたパワーソケット端子４０のボルト孔４６の位置が揃うこととなる。
【００７２】
この状態で、図１６Ｈに示すように、ボルト９０を電線端子５０の平板部５３のボルト挿通孔５２に挿通し、ボルト９０の雄ネジをパワーソケット端子４０のボルト孔４６の雌ネジに螺合させる。これによって、電線端子５０がパワーソケット端子４０に固定される。このとき、ボルト９０の螺合に伴ってパワーソケット端子４０に対して軸周りの力が作用するが、パワーソケット端子４０の平坦面４５Ｂとパワーソケット部２１の当接部３８の当接面３８Ａとが互いに当接しているため、パワーソケット端子４０が端子収容部３６内で回転することなく、ボルト９０を締結することができる。このようにして、電線端子５０を介してパワー電線３の芯線３Ａをパワーソケット端子４０に接続することができる。
【００７３】
上述したボルト９０の締結工程をそれぞれのパワー電線３について行った後、図１６Ｉに示すように、押圧部材６４を構成する構成部材６４Ａ，６４Ｂをその間にパワー電線３を挟むように連結し、押圧部材６４を形成する。このようにパワー電線３を挟むように構成部材６４Ａ，６４Ｂを構成することにより、押圧部材６４をパワー電線３の他端から挿通させる必要がなくなる。この状態で、押圧部材６４をカバー本体部６１の第２の筒状部７２の電線挿入口７９から第２の筒状部７２の内部に挿入し、押圧部材６４の係合爪９６をカバー本体部６１の第２の筒状部７２の係合孔７８に係合させることで、押圧部材６４をカバー本体部６１の第２の筒状部７２に装着する。
【００７４】
上述のシール部材９３の外径は第２の筒状部７２の円筒部７２Ａ，７２Ｂの内径よりも大きいため、パワー電線３を第２の筒状部７２に挿入する際に、シール部材９３が第２の筒状部７２の円筒部７２Ａ，７２Ｂの内面に引っ掛かってシール部材９３が所望の位置からずれていることも考えられる。そのような場合には、シール部材９３と円筒部７２Ａ，７２Ｂの内周面との密着性が低下してしまう。このため、上述のように、押圧部材６４を第２の筒状部７２に挿入して装着することで、第２の筒状部７２の円筒部７２Ａ，７２Ｂの内面で引っ掛かって所望の位置からずれたシール部材９３を押圧部材６４の押圧片９５により強制的に＋Ｚ方向に押し込み、シール部材９３を所望の位置に配置させるようにしている。
【００７５】
なお、シール部材９３を第２の筒状部７２の内面に均等に密着させて電線挿通空間Ｖ１，Ｖ２の密閉性及び防水性を高めるためには、本実施形態のように第２の筒状部７２を円筒部７２Ａ，７２Ｂにより構成し、電線挿通空間Ｖ１，Ｖ２をＸＹ平面で切った断面を円形形状にすることが好ましい。
【００７６】
その後、図１６Ｊに示すように、カバー本体部６１の第１の筒状部７１の作業用開口部Ｕにシール部材６６が装着された蓋体６３を嵌め込み、蓋体６３の係合爪６５をカバー本体部６１の第１の筒状部７１の係合孔７７に係合させることで、蓋体６３をカバー本体部６１の第１の筒状部７１に装着する。なお、この蓋体６３の装着は、ボルト９０の締結工程の後であれば、カバー本体部６１への押圧部材６４の装着の前に行ってもよい。
【００７７】
以上の工程により、図２に示すような充電コネクタ組立体を組み立てることができる。このように、本実施形態によれば、パワー電線３を防水カバー６０のカバー本体部６１の第２の筒状部７２の電線挿入口７９から電線挿通空間Ｖ１，Ｖ２を介して作業空間Ｗ１，Ｗ２に導入した状態でカバー本体部６１の第１の筒状部７１のソケット装着部７４をパワーソケット部２１に装着すれば、パワーソケット端子４０とパワー電線３の電線端子５０とが位置する作業空間Ｗ１，Ｗ２に作業用開口部Ｕを介して外部からアクセスすることができる。したがって、パワーソケット端子４０とパワー電線３の電線端子５０との接続作業が極めて容易になる。また、パワーソケット端子４０とパワー電線３の電線端子５０との接続作業後は、蓋体６３をカバー本体部６１の第１の筒状部７１に取り付けることにより作業用開口部Ｕを閉塞することができるので、パワーソケット端子４０とパワー電線３との間の電気的接続部分の防水を図ることができる。
【００７８】
また、本実施形態では、防水カバー６０のカバー本体部６１の第１の筒状部７１の内部には、仕切壁７１Ａによって互いに独立した２つの作業空間Ｗ１，Ｗ２が形成されており、さらに、第２の筒状部７２の内部には、仕切壁７２Ｃによって互いに独立した２つの電線挿通空間Ｖ１，Ｖ２が形成されているため、これらの作業空間Ｗ１，Ｗ２及び電線挿通空間Ｖ１，Ｖ２の密閉性を独立して維持することができる。
【００７９】
また、本実施形態では、カバー本体部６１のソケット挿入部７３に装着されるシール部材６２によって、カバー本体部６１のソケット挿入部７３とパワーソケット部２１の基部３１との間が封止され、蓋体６３の凹部に装着されるシール部材６６によって、蓋体６３とカバー本体部６１の第１の筒状部７１との間が封止されるので、作業空間Ｗ１，Ｗ２の密閉性及び防水性を高く維持することができる。また、パワー電線３に取り付けられたシール部材９３によって、パワー電線３とカバー本体部６１の第２の筒状部７２との間が封止されるので、電線挿通空間Ｖ１，Ｖ２の密閉性及び防水性を高く維持することができる。
【００８０】
上述の実施形態では、防水カバー６０が、２つのパワーソケット部２１に収容されるパワーソケット端子４０と２本のパワー電線３との間の電気的接続部分を覆っているが、防水カバー６０が覆うパワーソケット部２１及びパワー電線３の数は図示のものに限られない。
【００８１】
上述の実施形態では、それぞれのパワーソケット端子４０に対して作業空間Ｗ１，Ｗ２が形成されているが、複数のパワーソケット端子４０に対して１つの作業空間を形成するようにしてもよい。ただし、上述したように、独立した密閉性を確保する観点からは、それぞれのパワーソケット端子４０に対して１つの作業空間を形成することが好ましい。
【００８２】
同様に、上述の実施形態では、それぞれのパワー電線３に対して電線挿通空間Ｖ１，Ｖ２が形成されているが、複数のパワー電線３に対して１つの電線挿通空間を形成するようにしてもよい。ただし、上述したように、独立した密閉性を確保する観点からは、それぞれのパワー電線３に対して１つの電線挿通空間を形成することが好ましい。
【００８３】
また、上述の実施形態では、２つの作業空間Ｗ１，Ｗ２に対して１つの作業用開口部Ｕが形成されているが、それぞれの作業空間Ｗ１，Ｗ２に対して１つの作業用開口部を形成するようにしてもよい。
【００８４】
また、上述の実施形態では、第１の筒状部７１が延びる方向（第１の軸方向）と、第２の筒状部７２が延びる方向（第２の軸方向）とが垂直に交わっている例を説明したが、第１の筒状部７１が延びる方向と第２の筒状部７２が延びる方向とは、垂直に交わる必要はなく、角度を持って交わっていればよい。
【００８５】
上述した実施形態では、パワー電線３に取り付けられた電線端子５０をパワーソケット端子４０に締結するための締結具としてボルトを用いた例を説明したが、このような締結具はボルトに限られるものではない。
【００８６】
なお、本明細書において使用した用語「上」、「下」、「底」、「前」、「後」、その他の位置関係を示す用語は、図示した実施形態との関連において使用されているのであり、装置の相対的な位置関係によって変化するものである。
【００８７】
これまで本発明の好ましい実施形態について説明したが、本発明は上述の実施形態に限定されず、その技術的思想の範囲内において種々異なる形態にて実施されてよいことは言うまでもない。
【符号の説明】
【００８８】
１    充電コネクタ組立体
２    充電コネクタ
３    パワー電線
４    信号電線
１０    ハウジング
１１    円筒部
２１    パワーソケット部（ソケット部）
２３    信号ソケット部（追加ソケット部）
３１    基部
３６    端子収容部
３７    段差部
３８    当接部
３８Ａ  当接面
４０    パワーソケット端子（ソケット端子）
４１    プラグ接続部
４２    端子連結部
４３    接触片
４４    保持部
４５    フランジ部
４６    ボルト孔
５０    電線端子
６０    防水カバー
６１    カバー本体部
６２    シール部材（第１のシール部材）
６３    蓋体
６４    押圧部材
６６    シール部材（第２のシール部材）
７１    第１の筒状部
７１Ａ  仕切壁（第１の仕切壁）
７２    第２の筒状部
７２Ａ，７２Ｂ    円筒部
７２Ｃ  仕切壁（第２の仕切壁）
７３    ソケット挿入部
７４    ソケット装着部
７９    電線挿入口
９０    ボルト
９３    シール部材（第３のシール部材）
９５    押圧片
１０１    信号ソケット端子（追加ソケット端子）
１０２    シール部材（第４のシール部材）
１０３    端子収容孔
１１０    端部カバー
Ｕ    作業用開口部
Ｖ１，Ｖ２  電線挿通空間
Ｗ１，Ｗ２  作業空間
【図１】
2019186022.tif 000003
【図２】
2019186022.tif 000004
【図３】
2019186022.tif 000005
【図４】
2019186022.tif 000006
【図５】
2019186022.tif 000007
【図６】
2019186022.tif 000008
【図７】
2019186022.tif 000009
【図８Ａ】
2019186022.tif 000010
【図８Ｂ】
2019186022.tif 000011
【図８Ｃ】
2019186022.tif 000012
【図９】
2019186022.tif 000013
【図１０】
2019186022.tif 000014
【図１１】
2019186022.tif 000015
【図１２】
2019186022.tif 000016
【図１３】
2019186022.tif 000017
【図１４】
2019186022.tif 000018
【図１５】
2019186022.tif 000019
【図１６Ａ】
2019186022.tif 000020
【図１６Ｂ】
2019186022.tif 000021
【図１６Ｃ】
2019186022.tif 000022
【図１６Ｄ】
2019186022.tif 000023
【図１６Ｅ】
2019186022.tif 000024
【図１６Ｆ】
2019186022.tif 000025
【図１６Ｇ】
2019186022.tif 000026
【図１６Ｈ】
2019186022.tif 000027
【図１６Ｉ】
2019186022.tif 000028
【図１６Ｊ】
2019186022.tif 000029